(57)【要約】【課題】不透明な基材の表面に基材とは異なった色の被膜を塗装、或いはメッキによって形成した樹脂製盤面部品において、遊技球との接触によって被膜が剥離した場合であっても、剥離部の存在を目視によって判別しにくくして当該盤面部品の見栄えの悪化に起因した遊技機の廃棄時期の到来を遅らせることができるようにした。【解決手段】遊技盤面を移動する遊技球Ｂが接触する部位を備えた樹脂製の盤面部品であって、少なくとも遊技球が接触する部位を、透明な基材３３と、該基材の表裏両面に形成された不透明膜３４、３５と、表面側の不透明膜３４の表面に形成されたトップコート膜３６と、によって構成した。【選択図】図７
2012081173.tif 000002
【特許請求の範囲】
【請求項１】
遊技盤面を移動する遊技球が接触する部位を備えた樹脂製の盤面部品であって、
少なくとも前記遊技球が接触する部位を、透明な基材と、少なくとも該基材の表面に形成された不透明膜と、表面側の前記不透明膜の表面に形成されたトップコート膜と、によって構成したことを特徴とする樹脂製盤面部品。
【請求項２】
前記不透明膜は、前記基材の裏面にも形成されていることを特徴とする請求項１に記載の樹脂製盤面部品。
【請求項３】
前記遊技球が接触する部位を、遊技球による損耗の激しくないリサイクル可能部材と、遊技球による損耗の激しいリサイクル不可能部材とから構成し、両者を着脱可能に構成したことを特徴とする請求項１又は２に記載の樹脂製盤面部品。
【請求項４】
請求項１乃至３の何れか一項に記載の樹脂製盤面部品を備えたことを特徴とする遊技盤ユニット。
【請求項５】
請求項４に記載の遊技盤ユニットを備えたことを特徴とする遊技機。
【発明の詳細な説明】
【技術分野】
【０００１】
本発明はパチンコ遊技機等の遊技盤面に配置される樹脂製盤面部品の改良に関し、特に盤面を流下する遊技球が接触することによって表面被膜が剥がれた場合であっても外観の著しい悪化を防止できる技術に関する。
【背景技術】
【０００２】
パチンコ遊技機においては、遊技盤の盤面に入賞口、風車、可変表示装置、電飾装置等の各種盤面部品を設けて遊技内容の多様性を図り、遊技の進行中における入賞、その他の状況変化を契機として各可動盤面部品を動作させる等により演出効果を高めている。
ところで、遊技盤面を流下する遊技球が頻繁に接触、衝突する盤面部品は、表面の被膜（塗装膜、メッキ膜）が剥がれやすく、外観が悪化し易い。特に、液晶画面を包囲するように配置されるセンター台板は、遊技者が最も見やすい位置にあると共に、遊技球との接触頻度が高いために遊技球から受けるダメージが大きい盤面部品でもあるため、表面被膜（塗膜、メッキ膜）の剥離によって外観が悪化し易い。センター台板のように目立つ位置にある盤面部品の外観が悪化した場合、このような遊技機は、他の盤面部品の外観が良好であり、且つ電気系統に異常がなくても、早い時期に廃棄せざるを得なくなる。
センター台板（センター部材）は、例えば特許文献１（特開２００８−０４３４６０公報）に開示されており、通常はＰＣ樹脂製の基材上に塗装膜を形成したものや、ＡＢＳ樹脂製の基材上に金属メッキ膜を形成した表面被膜構造を備えている。
また、センター台板は最大サイズの盤面部品の一つであるため、搭載されている遊技機が廃棄される際にセンター台板を取り出して同機種の他の遊技機用に再利用することができれば、遊技機の製造コストを削減する上で有効である。しかし、遊技者から視認され易い部位に表面被膜の剥がれがある場合には再利用が不可能となり、センター台板を廃棄せざるを得なくなる。
【０００３】
図８（ａ）及び（ｂ）はセンター台板を始めとした樹脂製の盤面部品の要部断面図、及び剥離部を目視した状態を示す拡大断面図であり、任意の色（例えば、くすんだ灰色）を備えた不透明な樹脂基材１００の表裏両面には樹脂基材とは異なった色（例えば、赤色）の被膜１０２ａ、１０２ｂが夫々形成されている。
樹脂基材１００の材料としてPC樹脂を用いた場合、強度は優れるがメッキによる成膜が難しくなる。ＰＣ樹脂に対して塗装はできるが、塗装による被膜はメッキ被膜に比して剥離し易いという欠点を有している。
一方、ＡＢＳ樹脂は、ＰＣ樹脂に比して強度は低いもののメッキし易いという特性を有する。
図８（ｂ）では表面側被膜１０２ａの一部が剥離して樹脂基材１００の表面が露出した状態となっている。被膜１０２ａと樹脂基材１００とは明らかに色が異なるために剥離部の存在が容易に視認でき、被膜が剥離した部分は外観を著しく悪化させる原因となる。
なお、上記の問題はセンター台板のみならず、遊技球からの打撃を受ける樹脂製盤面部品一般に共通する問題である。
【先行技術文献】
【特許文献】
【０００４】
【特許文献１】特開２００８−０４３４６０公報
【発明の概要】
【発明が解決しようとする課題】
【０００５】
従来の樹脂製盤面部品にあっては、不透明な基材の表面に、基材とは異なる色を有した被膜を形成しており、しかも遊技球との衝突によって被膜が剥離すると見栄えの悪い基材表面が露出して外観を悪化させる原因となりやすかった。センター台板のように大型で目立つ位置にある盤面部品に剥離部が形成された場合には、当該盤面部品を搭載した遊技機を廃棄する時期を早める原因となることが多かった。更に、見栄えの悪化した盤面部品は、リサイクルによる再利用が困難となり、廃棄せざるを得なかった。
本発明は上記に鑑みてなされたものであり、不透明な基材の表面に基材とは異なった色の被膜を塗装、或いはメッキによって形成した樹脂製盤面部品において、遊技球との接触によって被膜が剥離した場合であっても、剥離部の存在を目視によって判別しにくくして当該盤面部品の見栄えの悪化に起因した遊技機の廃棄時期の到来を遅らせることができる樹脂製盤面部品、遊技盤ユニット、及び遊技機を提供することを目的としている。
また、剥離部の存在を目立たなくすることによって、当該盤面部品のリサイクルによる再利用を促進することが可能となる。
【課題を解決するための手段】
【０００６】
上記目的を達成するため、請求項１の発明に係る樹脂製遊技盤は、遊技盤面を移動する遊技球が接触する部位を備えた樹脂製の盤面部品であって、少なくとも前記遊技球が接触する部位を、透明な基材と、少なくとも該基材の表面に形成された不透明膜と、表面側の前記不透明膜の表面に形成されたトップコート膜と、によって構成したことを特徴とする。
請求項２の発明では、前記不透明膜は、前記基材の裏面にも形成されていることを特徴とする。
請求項３の発明は、前記遊技球が接触する部位を、遊技球による損耗の激しくないリサイクル可能部材と、遊技球による損耗の激しいリサイクル不可能部材とから構成し、両者を着脱可能に構成したことを特徴とする。
請求項４の発明に係る遊技盤ユニットは、請求項１乃至３の何れか一項に記載の樹脂製盤面部品を備えたことを特徴とする。
請求項５の発明に係る遊技機は、請求項４に記載の遊戯盤ユニットを備えたことを特徴とする。
【発明の効果】
【０００７】
本発明によれば、基材として透明材料を選定すると共に、基材の表裏両面を同色の不透明膜で被覆し、更に表面側の不透明膜の表面をトップコート膜により被覆したので、遊技球が表面側に接触することによって受けるダメージをトップコート膜が低減することができる。また、遊技球からの打撃によってトップコート膜、表面側不透明膜が剥離して透明な基材が露出した場合には、透明な基材を透過して裏面側の不透明膜が視認されることとなり、剥離部の存在を目立たなくすることができる。
【図面の簡単な説明】
【０００８】
【図１】本発明に係る電飾装置を備えたパチンコ遊技機の正面図である。
【図２】遊技盤単体の正面図である。
【図３】本発明の一実施形態に係る樹脂製盤面部品（センター台板）の正面図である。
【図４】センター台板の分解斜視図である。
【図５】センター台板の要部構成説明図である。
【図６】センター台板の要部拡大断面図である。
【図７】（ａ）（ｂ）及び（ｃ）は正常な被膜を示す拡大断面図、トップコート膜が損耗した被膜を示す拡大断面図、及び下地層まで損耗した被膜を夫々示す拡大断面図である。
【図８】（ａ）及び（ｂ）はセンター台板を始めとした樹脂製の盤面部品の要部断面図、及び剥離部を目視した状態を示す拡大断面図である。
【発明を実施するための形態】
【０００９】
以下、本発明を図面に示した実施の形態により詳細に説明する。
図１は本発明に係る前飾り部材を備えたパチンコ遊技機の正面図であり、図２は遊技盤単体の正面図である。
遊技盤１の前面側には、ガラス板を支持したガラス枠２が開閉可能に取り付けられている。また遊技盤１の下部には遊技球を貯留する受け皿部３と、受け皿部内の遊技球を発射する発射レバー４が設けられている。また、受け皿部３の上面には遊技機用ボタンスイッチや、遊技球の購入ボタン、購入取り消しボタン（何れも図示せず）が設けられている。
遊技盤１の裏面には、液晶画面、主制御基板とサブ制御基板等、遊技の進行、演出に関わる裏部品を組み付けた合成樹脂製の機構板（何れも図示せず）が開閉自在に装着されている。遊技盤１における遊技領域１ａの周囲には、発射レバー４を操作することにより発射装置から発射された遊技球を遊技領域１ａの上部に案内したり、アウト口１０に案内する外レールＲ１、及び内レールＲ２が設けられている。
【００１０】
遊技盤１のほぼ中央部には、中央が開口したセンター台板５が配置される。センター台板５の内部には図柄表示装置６が配置されている。図柄表示装置６は、例えば、液晶表示装置等の液晶表示パネルによって構成され、通常動作状態の時は、図示しない特別図柄画像が表示される。また、いわゆる特別遊技状態の時は、特別遊技状態であることを示す演出画像等が表示される。
センター台板５の右下には、図柄表示装置６の特別図柄を可変表示させるための可変入賞装置１１が設けられている。また、可変入賞装置１１の右方には、普通図柄表示装置１６に表示される普通図柄を作動させるためのゲート１２が設けられている。さらにセンター台板５の右下には、特別遊技状態の一つである大当たり状態のときに開成状態になる開閉扉を有する大入賞口１３が設けられている。
可変入賞装置１１は、図柄表示装置６を可変表示させるための左右一対の開閉爪（可動片）を有する電動式チューリップを備えて構成される。
【００１１】
また遊技盤１には普通入賞口１４やアウト口１０等が設けられていると共に、風車１５や図示しない多数の遊技釘が突設されている。遊技釘は、遊技球の落下速度を遅くすると共に、落下方向を複雑に変化させて遊技進行上の興趣を高めている。
普通図柄表示装置１６に表示される普通図柄は、１個または複数個の図柄を変動表示可能であり、普通図柄始動口としてのゲート１２が遊技球を検出することを条件に、その図柄が乱数制御等により所定時間可変して停止するようになっている。
また図柄表示装置６に表示される特別図柄は、停止図柄が予め定められた図柄の組合せ、例えば同一図柄の組合せとなった場合に大当たり状態となるように構成されている。また特別図柄は可変入賞装置の電動式チューリップの開成動作により遊技球が誘導される下始動口（図示していない）において遊技球を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当たり状態が発生する。なお、特別図柄としては、数字図柄、アルファベット図柄、キャラクター図柄等が使用可能である。
【００１２】
図３は本発明の一実施形態に係る樹脂製盤面部品の一例としてのセンター台板の正面図であり、図４はセンター台板の分解斜視図であり、図５はセンター台板の要部構成説明図であり、図６はセンター台板の要部拡大断面図であり、図７（ａ）（ｂ）及び（ｃ）は正常な被膜を示す拡大断面図、トップコート膜が損耗した被膜を示す拡大断面図、及び下地層まで損耗した被膜を夫々示す拡大断面図である。
図４に示すようにセンター台板（センター部材）５は、センター台板本体（以下、台板本体、という）３０と、台板本体３０の前面側にネジ止め固定される複数の前飾り４０と、台板本体３０の後面側にネジ止め固定される複数の背面部材４５と、を有する。
本例に係るセンター台板においては、図５に示すように遊技球Ｂは主として台板本体３０の外周面３１に強く当たったり、外周面に沿って移動するものとする。従って、外周面３１に形成された被膜が遊技球によって損耗し、最後には剥離状態となる。
【００１３】
本発明の特徴的な構成は、遊技盤面を流下する遊技球Ｂが接触する部位を備えた樹脂製の盤面部品（センター台板）において、少なくとも遊技球が接触する部位を、透明な基材３３と、基材３３の表裏両面に夫々形成された不透明膜３４、３５と、表面側の不透明膜３４の表面に形成された透明なトップコート膜３６と、によって構成した点にある。
例えば、基材３３として透明なＰＣ樹脂を用いた場合、不透明膜３４、３５としてはＰＣ樹脂とのなじみの良い塗装膜を用いることが好ましい。一方、基材３３として透明なＡＢＳ樹脂を使用した場合、不透明膜３４、３５としてはＡＢＳ樹脂とのなじみのよい金属メッキ膜を用いることが好ましい。金属メッキは、周知のように基材全体をメッキ槽に浸漬した上で実施するため、基材の全面にメッキ膜が形成される。
透明なトップコート膜３６としては、アクリルウレタン系、或いはフッ素系トップコートを使用する。トップコート膜３６は、不透明膜３４、３５が塗装膜であるか、或いはメッキ膜であるかに関係なく、不透明膜の表層を覆うように塗布されることによって不透明膜の耐久性を大幅に高めて、遊技球からの衝撃によって損耗、剥離しにくくすることができる。
【００１４】
次に、図７に基づいて遊技球によって表側のトップコート膜３６と不透明膜３４が損耗、剥離する状態を説明する。
図７（ａ）のように新品の状態では遊技球が台板本体の外周面３１に強く当たったとしてもトップコート膜３６によって不透明膜３４は保護されており、剥離は容易には進行しない。
次に、（ｂ）に示すように外周面３１の同じ部位に対して遊技球Ｂが繰り返し強く当たると、徐々に透明なトップコート膜３６が損耗し、不透明膜３４の表面が露出された状態となってくる。この状態では、外観上の変化を視認することはできず、外観の悪化は発生していない。
その後も外周面３１の同じ部位に更に遊技球の衝突が繰り返されると、（ｃ）に示すように不透明膜３４が除去されて、透明な基材表面が露出した状態となる。しかし、この程度に剥離が進行した場合であっても、基材が透明であるため、基材表面の露出部位を遊技者が視認した場合には基材を透過して基材裏面に形成された不透明膜３５が見えることとなる。
【００１５】
裏面側の不透明膜３５は、表面側の不透明膜３４と同時に成膜された同一材料であるため、色も全く同じである。このため、遊技者は露出した基材を通して反対側に見える不透明膜３５と表面側の不透明膜３４とを外観上区別することができず、剥離部の存在に気づかない。このため、図７（ｃ）に示した剥離状態に至ったとしても外観が悪化しないので、そのまま使用し続けても問題がない。
不透明膜３４、３５として耐久性の高い金属メッキを用いるのであれば、基材３３としては金属メッキし易い透明なＡＢＳ樹脂を用いるのが好ましい。一方、不透明膜３４、３５として低コストではあるが耐久性の低い塗装膜を使用する場合には、基材３３として透明なＰＣ樹脂を選定するのが好ましいが、この場合も表面側の不透明膜３４の表面にトップコート膜３６を成膜することによって不透明膜３４の耐久性を高めることができる。また、トップコート膜３６、及び塗装膜である不透明膜３４が剥離して図７（ｃ）のような状態になったとしても、遊技者は透明な基材３３を透過して無傷の裏面側不透明膜３５を常に視認することになるため、剥離部の存在に気づくことがない。
【００１６】
なお、図５中に示すように、遊技球が接触する盤面部品を、遊技球による損耗の激しくないリサイクル可能部材（例えば、外周面３１を含む部材）と、遊技球による損耗の激しいリサイクル不可能部材（例えば、ネジ穴３２ａが形成された部材３２）とから構成し、両者を着脱可能に構成してもよい。
即ち、外周面３１以外の台板本体３０の他の部位であって、ネジ穴３２ａが貫通形成されていたり、裏面にボス部が形成されている部位（例えば、図５中の部位３２）については、これを外周面３１を有する部材に対してネジ等によって着脱可能な別部材３２とし、別部材３２の損耗が激しい場合には交換できるように構成してもよい。即ち、ネジ穴３２ａを備えた部位（ネジ穴周縁）は遊技球との接触によって損耗、剥離する程度が著しく高くなるため、本発明による被膜構造を採用したとしても、トップコート膜３６及び不透明膜３４の損耗が早く、更に透明な基材に対する損傷が激しくなって透明性を喪失する時期が早く到来する。
【００１７】
また、裏面にボス部が設けられた部位３２については、トップコート膜３６及び不透明膜３４が剥がれることによって、透明な基材を透過して裏面のボス部が視認され易くなるため外観が悪化する。
このため、遊技球との接触による外観悪化が発生し難い外周面３１を含んだ部材に対して、外観悪化が早期に発生する別部材３２を着脱することにより、遊技機を廃棄する際に損耗のない外周面３１を含んだ部材のみを再利用することが可能となる。この場合、この別部材３２は、廃棄されることとなり、外周面３１を含んだ部材を別の遊技機に再利用する際には、新たな別部材３２を組み付けて使用することとなる。
このようにリサイクル時に、被膜３４、３６が剥がれた部材と剥がれていない部材を分離することによって、外観の悪化していない部材だけを選別して再利用することが可能となる。
【００１８】
本発明によれば、基材として透明材料を選定すると共に、基材の表裏両面を同色の不透明膜で被覆し、更に表面側の不透明膜の表面をトップコート膜により被覆したので、遊技球が表面側に接触することによって受けるダメージを、トップコート膜が低減することができる。また、遊技球からの打撃によってトップコート膜、表面側不透明膜が剥離して透明な基材が露出した場合には、透明な基材を透過して裏面側の不透明膜が視認されることとなり、剥離部の存在を目立たなくすることができる。
このため、当該盤面部品の外観が悪化する時期を大幅に遅延させることができ、リサイクル部品として活用することが可能となる。
本発明の樹脂製盤面部品を遊技盤に組み込むことにより構築される遊技盤ユニットは、パチンコ遊技機、その他の遊技機に適用することができる。
【符号の説明】
【００１９】
１…遊技盤、１ａ…遊技領域、２…ガラス枠、３…皿部４…発射レバー、５…センター台板、１０…アウト口、１１…可変入賞装置、１２…ゲート、１３…外周面、１３…大入賞口、１４…普通入賞口、１５…風車、１６…普通図柄表示装置、３０…台板本体、３１…外周面、３２…別部材、３２ａ…ネジ穴、３３…基材、３４、３５…不透明膜、３４、３６…被膜、３６…トップコート膜、４５…背面部材
【図１】
2012081173.tif 000003
【図２】
2012081173.tif 000004
【図３】
2012081173.tif 000005
【図４】
2012081173.tif 000006
【図５】
2012081173.tif 000007
【図６】
2012081173.tif 000008
【図７】
2012081173.tif 000009
【図８】
2012081173.tif 000010